(57)【要約】この発明に係る回転電機１００の固定子４０の軸方向両端のコイルエンド部（Ｋｃ，Ｋｄ）を構成するコイル（２０Ｕ，２０Ｖ，２０Ｗ）の渡り部（２０Ｕｃ，２０Ｕｄ，２０Ｖｃ，２０Ｖｄ，２０Ｗｃ，２０Ｗｄ）は、固定子（４０）の軸心を中心とする同心状に構成され、コイル（２０Ｕ，２０Ｖ，２０Ｗ）の軸方向両端の渡り部（２０Ｕｃ〜２０Ｗｃ、２０Ｕｄ〜２０Ｗｄ）の内、少なくとも一方の渡り部は、固定子（４０）の内周面よりも外側に配置され、固定子鉄心（４１）の軸方向の端面（４１Ｔ）と渡り部（２０Ｕｃ〜２０Ｗｃ，２０Ｕｄ〜２０Ｗｄ）の間には、隙間が存在する。
2015182346.tif 000002
【特許請求の範囲】
【請求項１】
円環状のバックヨーク部としての外側鉄心及び複数のティース部としての内側鉄心とからなる固定子鉄心と、前記固定子鉄心の複数の前記ティース部を跨いで、２つの隣り合う前記ティース部の間に形成される２つのスロット内に収納される絶縁被覆された複数のコイルとを有する固定子と、
前記固定子鉄心の内側に回転可能に支持される回転子とを備えた回転電機において、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在する回転電機。
【請求項２】
前記渡り部を前記固定子の軸心側から見た形状は略矩形であり、前記隙間の前記渡り部の前記固定子鉄心側の下面から前記固定子鉄心の軸方向の端面までの距離をＴ、
前記固定子の前記軸心を中心とし、前記コイルが挿入される２つの前記スロットの中心を通る直線間の、半径を前記ティース部の最も外側の位置とした円弧の長さをＲ１、
前記固定子の前記軸心を中心とし、前記コイルが挿入される２つの前記スロットの前記中心を通る前記直線間の、半径を前記ティース部の最も内側の位置とした円弧の長さをＲ２とするとき、
Ｔ≧（Ｒ１−Ｒ２）／２
である請求項１に記載の回転電機。
【請求項３】
前記渡り部を前記固定子の軸心側から見た形状は略三角形状であり、前記隙間の前記渡り部の前記固定子鉄心側の下面から前記固定子鉄心の軸方向の端面までの距離をＴ、
前記固定子の軸心を中心とし、前記コイルが挿入される２つの前記スロットの中心を通る直線間の、半径を前記ティース部の最も外側の位置とした円弧の長さをＲ１、
前記固定子の前記軸心を中心とし、前記コイルが挿入される２つの前記スロットの前記中心を通る前記直線間の、半径を前記ティース部の最も内側の位置とした円弧の長さをＲ２とするとき、
Ｔ≧√（Ｒ１２−Ｒ２２）／２
である請求項１に記載の回転電機。
【請求項４】
前記コイルは、前記固定子を収納するフレームが開口する側に存在する開口側の前記渡り部と前記フレームが閉口する側に存在する閉口側の渡り部を有し、前記閉口側の前記渡り部は、前記開口側の前記渡り部より内側に形成されている請求項３に記載の回転電機。
【請求項５】
前記内側鉄心の各前記ティース部の先端部は、薄肉部により接続されている請求項１から請求項４のいずれか１項に記載の回転電機。
【請求項６】
前記各ティース部は独立しており、
前記内側鉄心の各前記ティース部の先端部は、周方向に突出する鍔部を有する請求項１から請求項４のいずれか１項に記載の回転電機。
【請求項７】
前記スロット内の周方向の幅の寸法をｗ１、
前記ティース部の外周側端部間のスロット開口幅の寸法をｗ２とするとき、
ｗ２≧ｗ１である請求項１から請求項６のいずれか１項に記載の回転電機。
【請求項８】
円環状のバックヨーク部としての外側鉄心及び複数のティース部としての内側鉄心とからなる固定子鉄心と、前記固定子鉄心の複数の前記ティース部を跨いで、隣り合う２つの前記ティース部の間に形成される２つのスロット内に収納される絶縁被覆された複数のコイルとを有する固定子と、
前記固定子鉄心の内側に回転可能に支持される回転子とを備えた回転電機の製造方法において、
巻き枠を用いて、絶縁被覆された導体線を固定子鉄心のスロット内に収納される２つのスロット収納部と前記スロット収納部の両端部が接続された２つの渡り部を有する中間コイルを連続して平板状に構成する巻線工程と、
前記中間コイルの２つの前記スロット収納部をツイストし、前記渡り部を円弧状に成形するコイル成形工程と前記コイル成形工程を終了した前記コイルを、２つの前記スロットに斜めに仮装着するコイル仮装着工程と、
前記コイル仮装着工程を終えた前記コイルの前記スロット収納部を、外側から径方向内側に押圧して前記スロット内に挿入するコイル挿入工程と、
前記コイルを装着した前記内側鉄心を、前記外側鉄心に挿入する鉄心組立工程と、
前記回転子を前記固定子内に挿入し、前記固定子と前記回転子をフレーム内に収納する最終組立工程を有する回転電機の製造方法。
【請求項９】
複数の独立した前記ティース部を、放射状に固定するティース固定工程を前記コイル仮装着工程の前に有する請求項８に記載の回転電機の製造方法。
【請求項１０】
前記コイル挿入工程は、斜めに前記スロット内に仮装着した前記コイルの前記スロット収納部の外周面全体を、一点を中心に回転する回転板治具で押圧して挿入する請求項８又は請求項９に記載の回転電機の製造方法。
【請求項１１】
前記コイル挿入工程は、斜めに前記スロット内に仮装着した前記コイルの前記スロット収納部の外周面を、軸方向の一端側から他端側に向かってローラ治具で押圧して挿入する請求項８又は請求項９に記載の回転電機の製造方法。
【請求項１２】
前記コイル挿入工程は、斜めに前記スロット内に仮装着した前記コイルの前記スロット収納部を、前記内側鉄心ごと円筒状のスライド治具に挿入して前記スロット内に挿入する請求項８又は請求項９に記載の回転電機の製造方法。
【発明の詳細な説明】
【技術分野】
【０００１】
この発明は、コイルの冷却性に優れた回転電機および回転電機の製造方法に関するものである。
【背景技術】
【０００２】
近年、電動機や発電機などの回転電機において、小型高出力、高効率が求められている。この種の回転電機を小型化、高出力化とするに当たり、コイルの占積率が比較的高くなる集中巻の固定子を備えた回転電機が用いられていたが、更なる高出力化が可能な分布巻構造のコイルを用いた固定子を備えた回転電機（例えば、特許文献１参照）の要望が高まっている。ここで、導体線を１つのティースに巻回して構成された集中巻のコイルに対し、導体線を２スロット以上離れたスロット間に巻回して構成されたコイルを分布巻のコイルとする。
【先行技術文献】
【特許文献】
【０００３】
【特許文献１】特開平１０−１１７４５２号公報
【発明の概要】
【発明が解決しようとする課題】
【０００４】
回転電機を高出力化しようとすると、コイルに流れる大電流によって発生する熱を効率よく放熱する必要がある。しかし特許文献１に記載された従来の回転電機では、占積率の向上を目的としてコイルを隙間無く巻回するために放熱性が悪くなり、出力を上げられないという課題があった。【０００５】
この発明は、上記のような課題を解決するためになされたものであり、コイルの冷却効率を向上させ、小型で高出力、高効率な回転電機および回転電機の製造方法を提供することを目的とする。
【課題を解決するための手段】
【０００６】
この発明に係る回転電機は、
円環状のバックヨーク部としての外側鉄心及び複数のティース部としての内側鉄心とからなる固定子鉄心と、前記固定子鉄心の複数の前記ティース部を跨いで、２つの隣り合う前記ティース部の間に形成される２つのスロット内に収納される絶縁被覆された複数のコイルとを有する固定子と、
前記固定子鉄心の内側に回転可能に支持される回転子とを備えた回転電機において、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在するものである。【０００７】
また、この発明に係る回転電機の製造方法は、
円環状のバックヨーク部としての外側鉄心及び複数のティース部としての内側鉄心とからなる固定子鉄心と、前記固定子鉄心の複数の前記ティース部を跨いで、隣り合う２つの前記ティース部の間に形成される２つのスロット内に収納される絶縁被覆された複数のコイルとを有する固定子と、
前記固定子鉄心の内側に回転可能に支持される回転子とを備えた回転電機の製造方法において、
巻き枠を用いて、絶縁被覆された導体線を固定子鉄心のスロット内に収納される２つのスロット収納部と前記スロット収納部の両端部が接続された２つの渡り部を有する中間コイルを連続して平板状に構成する巻線工程と、
前記中間コイルの２つの前記スロット収納部をツイストし、前記渡り部を円弧状に成形するコイル成形工程と前記コイル成形工程を終了した前記コイルを、２つの前記スロットに斜めに仮装着するコイル仮装着工程と、
前記コイル仮装着工程を終えた前記コイルの前記スロット収納部を、外側から径方向内側に押圧して前記スロット内に挿入するコイル挿入工程と、
前記コイルを装着した前記内側鉄心を、前記外側鉄心に挿入する鉄心組立工程と、
前記回転子を前記固定子内に挿入し、前記固定子と前記回転子をフレーム内に収納する最終組立工程を有するものである。
【発明の効果】
【０００８】
この発明に係る回転電機は、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在するものなので、
他のコイルとの干渉を抑制しつつ、空気や冷却油などの冷媒を通す流路を確保し、冷却性を向上させることができる。【０００９】
また、この発明に係る回転電機の製造方法は、巻き枠を用いて、絶縁被覆された導体線を固定子鉄心のスロット内に収納される２つのスロット収納部と前記スロット収納部の両端部が接続された２つの渡り部を有する中間コイルを連続して平板状に構成する巻線工程と、
前記中間コイルの２つの前記スロット収納部をツイストし、前記渡り部を円弧状に成形するコイル成形工程と前記コイル成形工程を終了した前記コイルを、２つの前記スロットに斜めに仮装着するコイル仮装着工程と、
前記コイル仮装着工程を終えた前記コイルの前記スロット収納部を、外側から径方向内側に押圧して前記スロット内に挿入するコイル挿入工程と、
前記コイルを装着した前記内側鉄心を、前記外側鉄心に挿入する鉄心組立工程と、
前記回転子を前記固定子内に挿入し、前記固定子と前記回転子をフレーム内に収納する最終組立工程を有するものなので、
内側鉄心の軸方向の端面と渡り部との間に隙間を形成でき、他のコイルとの干渉を抑制しつつ、空気や冷却油などの冷媒を通す流路を確保し、冷却性を向上させることができる。
【図面の簡単な説明】
【００１０】
【図１】この発明の実施の形態１に係る回転電機の片側断面正面模式図である。
【図２】この発明の実施の形態１に係る回転電機（固定子と回転子のみ）の斜視図である。
【図３】この発明の実施の形態１に係る固定子の斜視図である。
【図４】この発明の実施の形態１に係る固定子の内側鉄心の斜視図である。
【図５】この発明の実施の形態１に係る固定子の外側鉄心の斜視図である。
【図６】この発明の実施の形態１に係る固定子に使用するコイルの斜視図である。
【図７】この発明の実施の形態１に係る固定子に使用するコイルの正面図である。
【図８】この発明の実施の形態１に係る固定子に使用するコイルの平面図である。
【図９】この発明の実施の形態１に係る回転電機の製造工程を示すフローチャートである。
【図１０】この発明の実施の形態１に係る巻線工程で使用する巻枠の斜視図である。
【図１１】この発明の実施の形態１に係る巻線工程を示す図である。
【図１２】この発明の実施の形態１に係る巻線工程を終え、巻枠から取り出した中間コイルの正面図である。
【図１３】図１２に示すＡ−Ａ線における断面矢視図である。
【図１４】この発明の実施の形態１に係るツイスト中間コイルの正面図である。
【図１５】この発明の実施の形態１に係る渡り部成形金型にツイスト中間コイルを装着した状態を示す斜視図である。
【図１６】この発明の実施の形態１に係る渡り部成形金型による、ツイスト中間コイルの渡り部の成形前後を示す図である。
【図１７】この発明の実施の形態１に係るコイル仮装着工程における内側鉄心とＵ相のコイルの斜視図である。
【図１８】この発明の実施の形態１に係るコイル仮装着工程における内側鉄心とＵ相のコイルの斜視図である。
【図１９】この発明の実施の形態１に係るＵ相のコイル挿入工程を終了した内側鉄心とＵ相のコイルの状態を示す斜視図である。
【図２０】この発明の実施の形態１に係る治具を用いたコイルの挿入方法を示す図である。
【図２１】この発明の実施の形態１に係る治具を用いたコイルの挿入方法を示す図である。
【図２２】この発明の実施の形態１に係る治具を用いたコイルの挿入方法を示す図である。
【図２３】この発明の実施の形態１に係るコイル挿入工程の前後におけるコイルのスロット収納部の縮径状態を示す図である。
【図２４】この発明の実施の形態１に係るコイル挿入工程の前後における開口側の渡り部のせり上がり状態を示す図である。
【図２５】渡り部に頂部を有するコイルを使用する場合のＲ１、Ｒ２、Ｔの関係を示す図である。
【図２６】この発明の実施の形態１に係るＶ相のコイル仮装着工程を示す図である。
【図２７】この発明の実施の形態１に係るＶ相のコイル仮装着工程を示す図である。
【図２８】この発明の実施の形態１に係るＶ相のコイル挿入工程を終了した状態を示す図である。
【図２９】この発明の実施の形態１に係るＷ相のコイル仮装着工程を示す図である。
【図３０】この発明の実施の形態１に係るＷ相のコイル仮装着工程を示す図である。
【図３１】この発明の実施の形態１に係るＷ相のコイル挿入工程を終了した状態を示す図である。
【図３２】この発明の実施の形態１に係る３相分のコイルを全て装着した内側鉄心を外側鉄心に嵌合する直前の状態を示す斜視図である。
【図３３】完成した固定子の斜視図である。
【図３４】この発明の実施の形態１に係る最終組立工程を示す図である。
【図３５】この発明の実施の形態１に係るスロット形状のバリエーションを示す図である。
【図３６】この発明の実施の形態２に係る固定子の斜視図である。
【図３７】この発明の実施の形態２に係るティース部の斜視図である。
【図３８】この発明の実施の形態２に係る固定子鉄心の外側鉄心の斜視図である。
【図３９】この発明の実施の形態２に係る回転電機の製造工程を示すフローチャートである。
【図４０】この発明の実施の形態２に係るＵ相のコイル仮装着工程を示す図である。
【図４１】この発明の実施の形態２に係るＵ相のコイル挿入工程を終えたコイルの状態を示す図である。
【図４２】この発明の実施の形態２に係る３相全てのコイル挿入工程を終えたティース部とコイルを示す断面図である。
【図４３】この発明の実施の形態２に係る鉄心組立工程において組み立て中の固定子の断面図である。
【図４４】この発明の実施の形態２に係る鉄心組立工程において組み立て中の固定子の断面図である。
【図４５】この発明の実施の形態２に係る最終組立工程を示す図である。
【発明を実施するための形態】
【００１１】
実施の形態１．
以下、本発明の実施の形態１に係る回転電機および回転電機の製造方法について図を用いて説明する。本明細書中で、「周方向」、「径方向」、「軸方向」、「内」、「外」というときは、回転電機の固定子の「周方向」、「径方向」、「軸方向」及び、固定子の「内側」、「外側」、「外周」、「内周」等をいうものとする。
【００１２】
図１は、この発明の実施の形態１に係る回転電機１００の片側断面正面模式図である。
図２は、回転電機１００（固定子４０、回転子３０のみ）の斜視図である。
回転電機１００は、有底円筒状のフレーム１１およびフレーム１１の開口部を塞口する端板１２からなるハウジング１と、フレーム１１の円筒部に内嵌状態に固着された固定子４０、フレーム１１の底部および端板１２にベアリング２を介して回転可能に支持され、固定子４０の内周側に配設された回転子３０とを備えている。
【００１３】
回転子３０は、回転軸３１に固着された回転子鉄心３２と、回転子鉄心３２の外周面側に周方向に所定のピッチで埋設され、磁極を構成する永久磁石３３とを備えた永久磁石型回転子である。
【００１４】
なお、回転子３０は、永久磁石式回転子に限定されず、絶縁しない回転子導体を、回転子鉄心のスロットに収納して、両側を短絡環で短絡したかご形回転子や、絶縁した導体線を回転子鉄心のスロットに装着した巻線形回転子を用いてもよい。
【００１５】
次に、固定子４０の構成について図を用いて説明する。
図３は、固定子４０の斜視図である。
図４は、固定子４０の内側鉄心４１ａの斜視図である。
図５は、固定子４０の外側鉄心４１ｂの斜視図である。
【００１６】
固定子４０は、各図に示すように、固定子鉄心４１と、固定子鉄心４１に装着されたコイル２０と、コイル２０と固定子鉄心４１を電気的に絶縁するスロットセル４２ａとを備えている。ここで、説明の便宜上、回転子３０の極数を４極、固定子鉄心４１のスロット４６の数を２４個、コイル２０を３相巻線とする。すなわち、スロット４６は、毎極毎相当たり２個の割合で固定子鉄心４１に形成されている。
【００１７】
固定子鉄心４１は、内側鉄心４１ａと、外側鉄心４１ｂとで構成されている。図４に示すように、内側鉄心４１ａは、磁極を構成する複数のティース部４３が、内周側の先端部を薄肉部４４で接続されて円環状に配置されている。そして、隣り合うティース部４３の間には、区切られたスロット４６を形成する。図５に示す外側鉄心４１ｂは、内側鉄心４１ａの各ティース部４３を磁気的に接続するバックヨーク部である。内側鉄心４１ａを外側鉄心４１ｂの内側に勘合することにより、内側鉄心４１ａの外周面４５ａと外側鉄心４１ｂの内周面４５ｂとが磁気的に接続される。
【００１８】
図６は、固定子４０に使用するコイル２０の斜視図である。
図７は、コイル２０の正面図である。
図８は、コイル２０の平面図である。
コイル２０は、図６から図８に示すように、後に固定子鉄心４１のスロット４６内に挿入される第１スロット収納部２０ａ、第２スロット収納部２０ｂ（以下、単にスロット収納部２０ａ、２０ｂという）と、スロット収納部２０ａおよびスロット収納部２０ｂの端部同士を接続し、複数のティース部４３を跨ぐ開口側の渡り部２０ｃ、および閉口側の渡り部２０ｄを有する。なお、「開口側」とはフレーム１１が開口する側を言い、「閉口側」とは、その反対側を言う。
【００１９】
コイル２０は、例えば、エナメル樹脂で絶縁被覆され、接続部のない連続した銅やアルミニウムなどからなる導体線を複数回巻回して製造される。渡り部２０ｃ、２０ｄは、コイルエンド部において他相を形成するコイル２０との干渉を避けるため、それらの径方向の厚みをスロット収納部２０ａ、２０ｂの径方向の厚みよりも薄くしている。また、図８に示すように、閉口側の渡り部２０ｄは開口側の渡り部２０ｃよりも径方向内側にあり、コイル２０がスロット４６内に挿入された際には、内側鉄心４１ａの薄肉部４４よりも内側に位置する。
【００２０】
次に回転電機１００の製造方法について説明する。
図９は、回転電機１００の製造工程を示すフローチャートである。
回転電機１００は、図に示すように、巻線工程ＳＴ１００、コイル成形工程ＳＴ１１０、コイル仮装着工程ＳＴ１２０、コイル挿入工程ＳＴ１３０、鉄心組立工程ＳＴ１４０、最終組立工程ＳＴ１５０を経て完成する。
【００２１】
まず、巻線工程ＳＴ１００について説明する。
図１０（ａ）は、巻線工程ＳＴ１００で使用する巻枠６０の分解斜視図である。
図１０（ｂ）は、巻線工程ＳＴ１００で使用する巻枠６０の組み立て後の斜視図である。
図１１は、巻線工程ＳＴ１００を示す図である。
図１２は、巻線工程ＳＴ１００を終え、巻枠６０から取り出した中空の平板状の中間コイル２１の正面図である。
図１３は、図１２に示すＡ−Ａ線における断面矢視図である。
中間コイル２１は、コイル２０のスロット収納部２０ａ、２０ｂや渡り部２０ｃ、２０ｄの形状が成形される前のコイルである。巻枠６０は、中間コイル２１が外周に巻回される巻芯６１と、巻芯６１の両側面側から挟み込む側板６２ａ、６２ｂとからなり、これらは、巻線後の中間コイル２１を取り出せるように分解可能である。
【００２２】
コイル２０の渡り部２０ｃ、２０ｄはスロット収納部２０ａ、２０ｂ部に比べて径方向に薄く形成する必要があるため、側板６２ａの内面６２ａ１には、巻線幅を規制する突起部６２ａｔを設けている。図１０では隠れて見えないが、側板６２ｂの下方半分についても、側板６２ａと同形状である。図１１に示すように側板６２ｂの上部中央に設けた導入部６２ｂ３から導体線７を巻枠６０内に入れ、図１１示す矢印方向に導体線７を巻回して中間コイル２１の巻線を行う。図１３に示すように、巻枠６０を用いることにより、中間コイル２１を構成する導体線７を整列して巻回することができる。
【００２３】
次に、コイル成形工程ＳＴ１１０について図１２から図１６を用いて説明する。
図１４は、ツイスト中間コイル２２の正面図である。
まず、図１２に示す中間コイル２１のスロット収納部２１ａ、２１ｂを、図１２の矢印方向にツイストし、図１４に示すツイスト中間コイル２２を得る。
図１５は、渡り部成形金型８０にツイスト中間コイル２２を装着した状態を示す斜視図である。
図１６（ａ）は、渡り部成形金型８０にツイスト中間コイル２２を装着した状態の正面図である。
図１６（ｂ）は、渡り部成形金型８０によりツイスト中間コイル２２の渡り部２２ｃを成形した状態の正面図である。
【００２４】
渡り部成形金型８０は、凸形金型８０ａと凹形金型８０ｂとで構成されている。凸形金型８０ａと凹形金型８０ｂによりツイスト中間コイル２２の渡り部２２ｃ、２２ｄを、曲率中心が固定子４０の軸心上にある円弧状になるように成形してコイル２０を得る。図示しないが、渡り部２２ｃ用と渡り部２２ｄ用の渡り部成形金型を変更することにより、図８に示すように、完成したコイル２０の渡り部２０ｄが、渡り部２０ｃに比べて径方向内側に存在するようにツイスト中間コイル２２を成形する。
【００２５】
次に、コイル仮装着工程ＳＴ１２０とコイル挿入工程ＳＴ１３０について図１７から図３１を用いて説明する。
図１７、図１８は、コイル仮装着工程ＳＴ１２０における内側鉄心４１ａとコイル２０Ｕの斜視図である。
図１９は、Ｕ相のコイル挿入工程ＳＴ１３０を終了した内側鉄心４１ａとＵ相のコイル２０Ｕの状態を示す斜視図である。
【００２６】
コイル仮装着工程ＳＴ１２０では、内側鉄心４１ａのスロット４６の内壁面に沿って、各ティース部４３とコイル２０（コイル２０Ｕ、２０Ｖ、２０Ｗ）を絶縁するスロットセル４２ａを装着し、まずＵ相を形成するコイル２０Ｕを、図１７に示すように、開口側の渡り部２０Ｕｃ側から各スロット４６内に斜めに挿入し、図１８の状態になるように内側鉄心４１ａに仮装着する。
【００２７】
次に、図１９に示すように、コイル挿入工程ＳＴ１３０にて開口側の渡り部２０Ｕｃを縮径するように閉じ、各コイル２０Ｕのスロット収納部２０Ｕａ、２０Ｕｂをスロット４６内に完全に挿入する。
【００２８】
図２０（ａ）、図２０（ｂ）は、回転板治具７１を用いたコイル２０Ｕの挿入方法を示す図である。
図２０（ａ）は、コイル仮装着工程ＳＴ１２０を終えたコイル２０Ｕの状態を示し、図２０（ｂ）は、コイル挿入工程ＳＴ１３０を終えたコイル２０Ｕの状態を示している。それぞれの図は、内側鉄心４１ａの軸心を中心とする断面模式図である。回転板治具７１は、スロット収納部２０Ｕａ、２０Ｕｂの閉口側の端部の径方向外側に回転中心７１ａを有する。コイル挿入工程ＳＴ１３０において、回転板治具７１の押圧部７１ｂは、スロット４６内に斜めに仮装着されたコイル２０Ｕのスロット収納部２０Ｕａ、２０Ｕｂが、次第に軸方向に平行になるように、回転中心７１ａを中心として回転しながら外周側からスロット収納部２０Ｕａ、２０Ｕｂをスロット４６内に押し込む。
【００２９】
図２１（ａ）、図２１（ｂ）は、回転板治具７１とは別のローラ治具７２を用いたコイル２０Ｕの挿入方法を示す図である。
図２１（ａ）は、コイル仮装着工程ＳＴ１２０を終えたコイル２０Ｕの状態を示し、図２１（ｂ）は、コイル挿入工程ＳＴ１３０を終えたコイル２０Ｕの状態を示している。それぞれの図は、内側鉄心４１ａの軸心を中心とする断面模式図である。
図２１に示すように、コイル挿入工程ＳＴ１３０において、スロット４６内に仮装着されたコイル２０Ｕのスロット収納部２０Ｕａ、２０Ｕｂを、ローラ治具７２のローラ７２ｂを用いて、閉口側の端部から開口側の端部に向けて押し込んでも良い。
【００３０】
図２２（ａ）、図２２（ｂ）は、回転板治具７１、ローラ治具７２とは別のスライド治具７３を用いたコイル２０Ｕの挿入方法を示す図である。
図２２（ａ）は、コイル仮装着工程ＳＴ１２０を終えたコイル２０Ｕの状態を示し、図２２（ｂ）は、コイル挿入工程ＳＴ１３０を終えたコイル２０Ｕの状態を示している。それぞれの図は、内側鉄心４１ａの軸心を中心とする断面模式図である。
スライド治具７３は、その内径が内側鉄心４１ａの外径と概略等しい円筒である。スライド治具７３の内側に、コイル仮装着工程ＳＴ１２０を終えた内側鉄心４１ａを閉口側端部側からスライドさせながら完全に挿入する。スライド治具７３の内周面上縁には、内側鉄心４１ａの挿入を容易にするための面取部７３ａを設けている。
【００３１】
図２３は、コイル挿入工程ＳＴ１３０の前後におけるコイル２０Ｕのスロット収納部２０Ｕａ、２０Ｕｂの縮径状態を示す図である。
図２４は、コイル挿入工程ＳＴ１３０の前後における開口側の渡り部２０Ｕｃの競り上がり状態を示す図である。渡り部２０Ｕｃは、固定子の軸心から見た形状が略矩形状である。いずれかの治具を用いてコイル２０Ｕのスロット収納部２０Ｕａ、２０Ｕｂをスロット４６内に完全に収納すると、図２３に示すように２つのスロット収納部２０ａ、２０ｂの位置が矢印Ｂ１、Ｂ２に示す内周側に移動し、スロット収納部２０Ｕａ、２０Ｕｂの内周側端部２０Ｕａｉ、２０Ｕｂｉを結ぶ軸心Ｏを中心とする円弧の長さは、Ｒ１からＲ２へと縮径して小さくなる。ここで、円弧の長さＲ１は、固定子４０の軸心Ｏを中心とし、コイル２０Ｕが挿入される２つのスロット４６の中心を通る直線間の、半径をティース部４３の最も外側の位置とした円弧の長さでもある。また、Ｒ２は、固定子４０の軸心Ｏを中心とし、コイル２０Ｕが挿入される２つのスロット４６の中心を通る直線間の、半径をティース部４３の最も内側の位置とした円弧の長さでもある。なお、図２４及び以下で説明する図２５においても、Ｒ１、Ｒ２は円弧の長さを示すものである。
【００３２】
コイル２０Ｕのスロット収納部２０Ｕａ、２０Ｕｂをスロット４６内に完全に挿入すると、これと同時に、図２４に示すように、開口側の渡り部２０Ｕｃが競り上がり、内側鉄心４１ａの軸方向の端面４１Ｔと渡り部２０Ｕｃとの間に隙間Ｓを形成できる。この隙間Ｓは、他のコイルの渡り部との干渉を避けるための空間を確保し、かつ冷媒の流路となり、回転電機１００の冷却性向上に寄与する。
【００３３】
この時の隙間Ｓの高さＴの寸法は、（Ｒ１−Ｒ２）／２である。この隙間Ｓの発生により、スムーズにコイル挿入工程ＳＴ１３０を実施することが可能となる。ところで、実際にコイル２０Ｕを内側鉄心４１ａの周囲に配置するためには、図２３のＲ１の位置よりも若干外側に配置することになるので、Ｔ≧（Ｒ１−Ｒ２）／２となる。ただし、Ｔの値をあまり大きくし過ぎるとコイル２０Ｕの周長が伸び、抵抗値の増加やモータ全体の大型化につながるため、５％程度の範囲までとし、Ｔ＜（（Ｒ１−Ｒ２）／２）×１．０５となることが望ましい。
【００３４】
図２５は、渡り部２０Ｕｃに頂部２０Ｕｃｔを有するようなコイル２０Ｕを使用する場合のＲ１、Ｒ２、Ｔの関係を示す図である。渡り部２０Ｕｃは、固定子の軸心から見た形状が略三角形状である。渡り部２０Ｕｃの周方向の中央部分が軸方向に突出するようなコイル２０Ｕの場合は、Ｔを、擬似的な二等辺三角形の「高さ」とし、その二等辺三角形の半分の直角三角形からＴを三平方の定理で求めることができる。すなわち、Ｒ１の１／２の渡り部２０Ｕｃがそのまま競り上がり斜辺となり、底辺はＲ２の１／２となり、高さがＴなので、Ｔ２＝（Ｒ１／２）２−（Ｒ２／２）２より、Ｔ＝√（Ｒ１２−Ｒ２２）／２となる。そして上述の余裕分を考慮すると、Ｔ≧√（Ｒ１２−Ｒ２２）／２、かつ、Ｔ＜（√（Ｒ１２−Ｒ２２）／２）×１．０５となる。このようなコイルであってもスムーズにコイル挿入工程ＳＴ１３０を行うことができる。
【００３５】
図２６、図２７は、Ｖ相のコイル仮装着工程ＳＴ１２０を示す図である。
図２８は、Ｖ相のコイル挿入工程ＳＴ１３０を終了した状態を示す図である。
次に、図２６〜図２８に示すように、上述したコイル２０Ｕと同様に、コイル２０Ｕを装着した内側鉄心４１ａにＶ相を構成する全てのコイル２０Ｖを装着する。
【００３６】
図２９、図３０は、Ｗ相のコイル仮装着工程ＳＴ１２０を示す図である。
図３１は、Ｗ相のコイル挿入工程ＳＴ１３０を終了した状態を示す図である。
次に、図２９〜図３１に示すように、上述したコイル２０Ｕ、２０Ｖと同様に、コイル２０Ｖを装着した内側鉄心４１ａにＷ相を構成する全てのコイル２０Ｗを装着する。このように、この一連の動作を繰り返して行うことによりコイル仮装着工程ＳＴ１２０、コイル挿入工程ＳＴ１３０を完了する。渡り部２０Ｕｃ、２０Ｖｃ、２０Ｗｃが開口側のコイルエンド部Ｋｃを構成し、渡り部２０Ｕｄ、２０Ｖｄ、２０Ｗｄが、閉口側のコイルエンド部Ｋｄを構成する。
【００３７】
図３２は、３相分のコイル２０（２０Ｕ、２０Ｖ、２０Ｗ）を全て装着した内側鉄心４１ａを外側鉄心４１ｂに嵌合する直前の状態を示す斜視図である。
図３３は、完成した固定子４０の斜視図である。
図３４は、回転子３０を固定子４０に挿入する最終組立工程を示す図である。
全てのコイル２０を内側鉄心４１ａに完全に装着したら、外側鉄心４１ｂと各コイル２０間を絶縁するスロットセル４２ｂをコイル２０のスロット収納部２０ａ、２０ｂの外周面側に装着し、外側鉄心４１ｂを閉口側の渡り部２０ｄ側から内側鉄心４１ａ内に組み付け、鉄心組立工程ＳＴ１４０を完了し固定子４０を得る。
【００３８】
最後に、回転子３０を開口側の渡り部２０ｃが形成されているコイルエンド部側から固定子４０内に挿入し、ここでは図１に示すようなハウジング１内にこれらを収納して最終組立工程ＳＴ１５０を完了し、回転電機１００を得ることができる。
【００３９】
図３５は、スロット形状のバリエーションを示す図であり、それぞれ内側鉄心の要部平面図である。
これまでの説明では、図３５（ａ）のようにスロット４６は、その軸方向に垂直な断面が最内周部を除き長方形の形状をしているが、図３５（ｂ）のように、スロット４６ｂ奥部の周方向幅の寸法ｗ１と、ティース部４３ｂの外周側端部４３ｂｘ間のスロット開口部の幅の寸法ｗ２の関係が、ｗ２＞ｗ１である外側に広がるテーパ形状であったり、図３５（ｃ）のようにテーパ形状の勾配が変わる変化点４６ｃ１を有するような形状でもよい。なお、スロット４６、４６ｂ、４６ｃ奥部の周方向幅の寸法ｗ１と、ティース部４３、４３ｂ、４３ｃの外周側端部４３ｘ、４３ｂｘ、４３ｃｘ間のスロット開口部の幅の寸法ｗ２の関係が、ｗ２≧ｗ１であると、整列したコイル２０をスムーズにスロット４６内に挿入することができ、固定子４０の組立性が良くなる。なお、上記実施の形態では、各コイルの軸方向の両端の渡り部の内、少なくとも一方の渡り部を固定子の内周面よりも外側に配置する例を示したが、これに限定されるものではなく、いずれの渡り部も固定子の内周面よりも外側に配置するようにしても良い。
【００４０】
この発明の実施の形態１に係る回転電機および回転電機の製造方法によれば、コイルの渡り部と固定子鉄心の軸方向の端面の間に隙間を設けることができるので、各相を構成するコイルが他の相を構成するコイルと干渉することを抑制しつつ、空気や冷却油などの冷媒を通す流路を確保し、コイルの冷却効率を向上させ、小型で高出力、高効率な回転電機および回転電機の製造方法を提供できる。
【００４１】
また、内側鉄心（ティース部）と外側鉄心（バックヨーク部）に固定子鉄心を分割し、各ティース部先端が薄肉部により周方向に接続されているので、整列したコイルをスロット内に挿入することができ、コイルの占積率の向上が可能となる。また、各相を構成するコイルのコイルエンド部を固定子の軸心を中心とする同心状に重ねて配置することにより、一方向（外側）からの固定子の組立を可能とすることができる。
【００４２】
さらに、各コイルの軸方向の両端の渡り部の内、少なくとも一方の渡り部を固定子の内周面よりも外側に配置することで、回転子をコイル装着後の固定子に挿入することができるため、回転電機の生産性が向上する。
【００４３】
実施の形態２．
以下、本発明の実施の形態２に係る回転電機および回転電機の製造方法を実施の形態１と異なる部分を中心に説明する。
図３６は、実施の形態２に係る固定子２４０の斜視図である。
固定子２４０は、図に示すように、固定子鉄心２４１と、固定子鉄心２４１に装着されたコイル２０Ｕ、２０Ｖ、２０Ｗとを備えている。
【００４４】
図３７は、固定子鉄心２４１のティース部２４３の斜視図である。
図３８は、固定子鉄心２４１の外側鉄心２４１ｂの斜視図である。
固定子鉄心２４１は、図３７に示す磁極を構成するティース部２４３と、図３８に示す円環状のバックヨーク部である外側鉄心２４１ｂからなる。ティース部２４３の先端には周方向両側に突出する鍔部２４３ａを備える。
【００４５】
ティース部２４３の周方向の両面の根元部分の所定の範囲に設けられた嵌合部２４３ｂ、２４３ｃが、外側鉄心２４１ｂの内周面に軸方向に等間隔に設けられた溝５の壁面５ｂ、５ｃに嵌合する。
【００４６】
本実施の形態に係る回転電機の製造方法を図３９から図４５を用いて説明する。なお、巻線工程ＳＴ１００、コイル成形工程ＳＴ１１０については実施の形態１と同様であるため省略する。
図３９は、本実施の形態における、回転電機の製造工程を示すフローチャートである。
図４０は、コイル仮装着工程ＳＴ１２０を示す図である。ティース保持具９で固定したティース部２４３間のスロット２４６内にコイル２０Ｕを仮装着した状態を示している。
図４１は、コイル挿入工程ＳＴ１３０を終えたコイル２０Ｕの状態を示す図である。
図４０、図４１は、ティース保持具９の軸心を中心とする断面模式図である。
本実施の形態に係るティース部２４３は、全てバラバラであり、実施の形態１のティース部４３のように内周側先端が薄肉部で接続されていない。しかし、全てのティース部全体が実施の形態１の内側鉄心に相当する。
【００４７】
したがって、予め全てのティース部２４３を放射状に並べておいて、図４０に示すようにティース保持具９で固定するティース固定工程ＳＴ１１５が、コイル仮装着工程ＳＴ１２０の前に必要となる。そして固定した隣り合うティース部２４３の間に構成されるスロット２４６内に実施の形態１と同様にＵ相のコイル２０Ｕをコイル仮装着工程ＳＴ１２０で仮装着する。次いで、実施の形態１と同様に、図４１に示すコイル挿入工程ＳＴ１３０を行う。
【００４８】
図４２は、３相全てのコイル挿入工程を終えたティース部２４３とコイル２０を示す断面図である。渡り部２０Ｕｃ、２０Ｖｃ、２０Ｗｃが開口側のコイルエンド部Ｋｃを構成し、渡り部２０Ｕｄ、２０Ｖｄ、２０Ｗｄが、閉口側のコイルエンド部Ｋｄを構成する。
図４３、図４４は、鉄心組立工程ＳＴ１４０において、組み立て中の固定子２４０の断面図である。
図４２に示すように全てのコイル２０Ｕ、２０Ｖ、２０Ｗを挿入し終わったら、図４３、図４４に示すように全てのティース部２４３の嵌合部２４３ｂ、２４３ｃを外側鉄心２４１ｂの溝５内に嵌合して固定子２４０を得る。外側鉄心２４１ｂと全てのティース部２４３を嵌合して固定した後、ティース保持具９を取り外す。
【００４９】
図４５は、回転子３０を固定子２４０に挿入する最終組立工程を示す図である。
最後に回転子３０を開口側の渡り部２０ｃが形成されているコイルエンド部Ｋｃ側から固定子２４０内に挿入し、ここでは図示しないハウジング内にこれらを収納して最終組立工程ＳＴ１５０を完了し、回転電機を得ることができる。
【００５０】
この発明の実施の形態２に係る回転電機および回転電機の製造方法によれば、実施の形態１と同様の効果がある。また、ティース部２４３の内周側端部を薄肉部で接続せず、周方向両側に突出する鍔部２４３ａを構成し、磁気的な繋がりを分断する構成とすることで、固定子２４０の漏れ磁束を低減でき、回転電機のトルクを向上させることができる。また、隣り合う鍔部２４３ａ間の狭い開口幅にコイル２０を通す必要がないため、鍔部間の開口幅に対する制約が減り、固定子の設計自由度が向上する。これにより、コイルの占積率が高く、トルクリップルが少ない回転電機を提供することができる。
【００５１】
なお、本発明は、その発明の範囲内において、各実施の形態を自由に組み合わせたり、各実施の形態を適宜、変形、省略することが可能である。
【図１】
2015182346.tif 000003
【図２】
2015182346.tif 000004
【図３】
2015182346.tif 000005
【図４】
2015182346.tif 000006
【図５】
2015182346.tif 000007
【図６】
2015182346.tif 000008
【図７】
2015182346.tif 000009
【図８】
2015182346.tif 000010
【図９】
2015182346.tif 000011
【図１０】
2015182346.tif 000012
【図１１】
2015182346.tif 000013
【図１２】
2015182346.tif 000014
【図１３】
2015182346.tif 000015
【図１４】
2015182346.tif 000016
【図１５】
2015182346.tif 000017
【図１６】
2015182346.tif 000018
【図１７】
2015182346.tif 000019
【図１８】
2015182346.tif 000020
【図１９】
2015182346.tif 000021
【図２０】
2015182346.tif 000022
【図２１】
2015182346.tif 000023
【図２２】
2015182346.tif 000024
【図２３】
2015182346.tif 000025
【図２４】
2015182346.tif 000026
【図２５】
2015182346.tif 000027
【図２６】
2015182346.tif 000028
【図２７】
2015182346.tif 000029
【図２８】
2015182346.tif 000030
【図２９】
2015182346.tif 000031
【図３０】
2015182346.tif 000032
【図３１】
2015182346.tif 000033
【図３２】
2015182346.tif 000034
【図３３】
2015182346.tif 000035
【図３４】
2015182346.tif 000036
【図３５】
2015182346.tif 000037
【図３６】
2015182346.tif 000038
【図３７】
2015182346.tif 000039
【図３８】
2015182346.tif 000040
【図３９】
2015182346.tif 000041
【図４０】
2015182346.tif 000042
【図４１】
2015182346.tif 000043
【図４２】
2015182346.tif 000044
【図４３】
2015182346.tif 000045
【図４４】
2015182346.tif 000046
【図４５】
2015182346.tif 000047
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
円環状のバックヨーク部としての外側鉄心及び複数のティース部としての内側鉄心とからなる固定子鉄心と、前記固定子鉄心の複数の前記ティース部を跨いで、２つの隣り合う前記ティース部の間に形成される２つのスロット内に収納される絶縁被覆された複数のコイルとを有する固定子と、
前記固定子鉄心の内側に回転可能に支持される回転子とを備えた回転電機において、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在し、
前記渡り部を前記固定子の軸心側から見た形状は略矩形であり、前記隙間の前記渡り部の前記固定子鉄心側の下面から前記固定子鉄心の軸方向の端面までの距離をＴ、
前記固定子の前記軸心を中心とし、前記コイルが挿入される２つの前記スロットの中心を通る直線間の、半径を前記ティース部の最も外側の位置とした円弧の長さをＲ１、
前記固定子の前記軸心を中心とし、前記コイルが挿入される２つの前記スロットの前記中心を通る前記直線間の、半径を前記ティース部の最も内側の位置とした円弧の長さをＲ２とするとき、
Ｔ≧（Ｒ１−Ｒ２）／２
である回転電機。
【請求項２】
円環状のバックヨーク部としての外側鉄心及び複数のティース部としての内側鉄心とからなる固定子鉄心と、前記固定子鉄心の複数の前記ティース部を跨いで、２つの隣り合う前記ティース部の間に形成される２つのスロット内に収納される絶縁被覆された複数のコイルとを有する固定子と、
前記固定子鉄心の内側に回転可能に支持される回転子とを備えた回転電機において、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在し、
前記渡り部を前記固定子の軸心側から見た形状は略三角形状であり、前記隙間の前記渡り部の前記固定子鉄心側の下面から前記固定子鉄心の軸方向の端面までの距離をＴ、
前記固定子の軸心を中心とし、前記コイルが挿入される２つの前記スロットの中心を通る直線間の、半径を前記ティース部の最も外側の位置とした円弧の長さをＲ１、
前記固定子の前記軸心を中心とし、前記コイルが挿入される２つの前記スロットの前記中心を通る前記直線間の、半径を前記ティース部の最も内側の位置とした円弧の長さをＲ２とするとき、
Ｔ≧√（Ｒ１２−Ｒ２２）／２
である回転電機。
【請求項３】
前記コイルは、前記固定子を収納するフレームが開口する側に存在する開口側の前記渡り部と前記フレームが閉口する側に存在する閉口側の渡り部を有し、前記閉口側の前記渡り部は、前記開口側の前記渡り部より内側に形成されている請求項１又は請求項２に記載の回転電機。
【請求項４】
前記内側鉄心の各前記ティース部の先端部は、薄肉部により接続されている請求項１から請求項３のいずれか１項に記載の回転電機。
【請求項５】
前記各ティース部は独立しており、
前記内側鉄心の各前記ティース部の先端部は、周方向に突出する鍔部を有する請求項１から請求項４のいずれか１項に記載の回転電機。
【請求項６】
前記スロット内の周方向の幅の寸法をｗ１、
前記ティース部の外周側端部間のスロット開口幅の寸法をｗ２とするとき、
ｗ２≧ｗ１である請求項１から請求項５のいずれか１項に記載の回転電機。
【請求項７】
請求項１から請求項６のいずれか１項に記載の回転電機の製造方法において、
巻き枠を用いて、絶縁被覆された導体線を固定子鉄心のスロット内に収納される２つのスロット収納部と前記スロット収納部の両端部が接続された２つの渡り部を有する中間コイルを連続して平板状に構成する巻線工程と、
前記中間コイルの２つの前記スロット収納部をツイストし、前記渡り部を円弧状に成形するコイル成形工程と前記コイル成形工程を終了した前記コイルを、２つの前記スロットに斜めに仮装着するコイル仮装着工程と、
前記コイル仮装着工程を終えた前記コイルの前記スロット収納部を、外側から径方向内側に押圧して前記スロット内に挿入するコイル挿入工程と、
前記コイルを装着した前記内側鉄心を、前記外側鉄心に挿入する鉄心組立工程と、
前記回転子を前記固定子内に挿入し、前記固定子と前記回転子をフレーム内に収納する最終組立工程を有する回転電機の製造方法。
【請求項８】
複数の独立した前記ティース部を、放射状に固定するティース固定工程を前記コイル仮装着工程の前に有する請求項７に記載の回転電機の製造方法。
【請求項９】
前記コイル挿入工程は、斜めに前記スロット内に仮装着した前記コイルの前記スロット収納部の外周面全体を、一点を中心に回転する回転板治具で押圧して挿入する請求項７又は請求項８に記載の回転電機の製造方法。
【請求項１０】
前記コイル挿入工程は、斜めに前記スロット内に仮装着した前記コイルの前記スロット収納部の外周面を、軸方向の一端側から他端側に向かってローラ治具で押圧して挿入する請求項７又は請求項８に記載の回転電機の製造方法。
【請求項１１】
前記コイル挿入工程は、斜めに前記スロット内に仮装着した前記コイルの前記スロット収納部を、前記内側鉄心ごと円筒状のスライド治具に挿入して前記スロット内に挿入する請求項７又は請求項８に記載の回転電機の製造方法。
【手続補正２】
【補正対象書類名】明細書
【補正対象項目名】０００６
【補正方法】変更
【補正の内容】
【０００６】
この発明に係る回転電機は、
円環状のバックヨーク部としての外側鉄心及び複数のティース部としての内側鉄心とからなる固定子鉄心と、前記固定子鉄心の複数の前記ティース部を跨いで、２つの隣り合う前記ティース部の間に形成される２つのスロット内に収納される絶縁被覆された複数のコイルとを有する固定子と、
前記固定子鉄心の内側に回転可能に支持される回転子とを備えた回転電機において、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在し、
前記渡り部を前記固定子の軸心側から見た形状は略矩形であり、前記隙間の前記渡り部の前記固定子鉄心側の下面から前記固定子鉄心の軸方向の端面までの距離をＴ、
前記固定子の前記軸心を中心とし、前記コイルが挿入される２つの前記スロットの中心を通る直線間の、半径を前記ティース部の最も外側の位置とした円弧の長さをＲ１、
前記固定子の前記軸心を中心とし、前記コイルが挿入される２つの前記スロットの前記中心を通る前記直線間の、半径を前記ティース部の最も内側の位置とした円弧の長さをＲ２とするとき、
Ｔ≧（Ｒ１−Ｒ２）／２
である。
また、この発明に係る回転電機は、
円環状のバックヨーク部としての外側鉄心及び複数のティース部としての内側鉄心とからなる固定子鉄心と、前記固定子鉄心の複数の前記ティース部を跨いで、２つの隣り合う前記ティース部の間に形成される２つのスロット内に収納される絶縁被覆された複数のコイルとを有する固定子と、
前記固定子鉄心の内側に回転可能に支持される回転子とを備えた回転電機において、
前記固定子の軸方向両端のコイルエンド部を構成する前記コイルの渡り部は、前記固定子の軸心を中心とする同心状に構成され、
前記コイルの軸方向両端の前記渡り部の内、少なくとも一方の前記渡り部は、前記固定子の内周面よりも外側に配置され、
前記固定子鉄心の軸方向の端面と前記渡り部の間には、隙間が存在し、
前記渡り部を前記固定子の軸心側から見た形状は略三角形状であり、前記隙間の前記渡り部の前記固定子鉄心側の下面から前記固定子鉄心の軸方向の端面までの距離をＴ、
前記固定子の軸心を中心とし、前記コイルが挿入される２つの前記スロットの中心を通る直線間の、半径を前記ティース部の最も外側の位置とした円弧の長さをＲ１、
前記固定子の前記軸心を中心とし、前記コイルが挿入される２つの前記スロットの前記中心を通る前記直線間の、半径を前記ティース部の最も内側の位置とした円弧の長さをＲ２とするとき、
Ｔ≧√（Ｒ１２−Ｒ２２）／２
である。
【手続補正３】
【補正対象書類名】明細書
【補正対象項目名】０００７
【補正方法】変更
【補正の内容】
【０００７】
また、上記回転電機の製造方法は、
巻き枠を用いて、絶縁被覆された導体線を固定子鉄心のスロット内に収納される２つのスロット収納部と前記スロット収納部の両端部が接続された２つの渡り部を有する中間コイルを連続して平板状に構成する巻線工程と、
前記中間コイルの２つの前記スロット収納部をツイストし、前記渡り部を円弧状に成形するコイル成形工程と前記コイル成形工程を終了した前記コイルを、２つの前記スロットに斜めに仮装着するコイル仮装着工程と、
前記コイル仮装着工程を終えた前記コイルの前記スロット収納部を、外側から径方向内側に押圧して前記スロット内に挿入するコイル挿入工程と、
前記コイルを装着した前記内側鉄心を、前記外側鉄心に挿入する鉄心組立工程と、
前記回転子を前記固定子内に挿入し、前記固定子と前記回転子をフレーム内に収納する最終組立工程を有するものである。
【手続補正４】
【補正対象書類名】明細書
【補正対象項目名】０００８
【補正方法】変更
【補正の内容】
【０００８】
この発明に係る回転電機は、
上記のように構成されたものなので、
他のコイルとの干渉を抑制しつつ、空気や冷却油などの冷媒を通す流路を確保し、冷却性を向上させることができる。
【国際調査報告】
2015182346.tif 000048
2015182346.tif 000049
2015182346.tif 000050
2015182346.tif 000051